(57)【要約】【課題】入浴時に血圧の上昇、下降の振幅を減らし、心臓に負担の掛から無い水深で上半身が冷えない入浴姿勢で入浴する。【解決手段】入浴補助浮きボードの基本的形はロッキングチェアーの形をとり浮き材の位置を自由自在に変えて理想入浴姿勢を入浴者本人に合わせる。【選択図】図１
0003135840.tif 000002
【実用新案登録請求の範囲】
【請求項１】
入浴時に浴槽内のお湯の静水圧が入浴者の血圧、心臓に影響する事を減少する姿勢で入浴出来る入浴用補助浮きボード。
【請求項２】
ボード本体の基本形状はロッキングチェアーの様な形で有人宇宙船の打ち上げ時の宇宙飛行士の姿勢を保持し体に負担の少ない形にした入浴用補助浮きボード。
【請求項３】
入浴者の身長、体重に合わせ浮きボードの長さ変更、浮力材の体積を変えて入浴者が湯冷めしない図１の入浴姿勢を確保する。
【請求項４】
浮力材は図２ボード本体背面に３本の両面テープを取り付け浮力材にも３本の両面テープを取り付け浮力材の位置を微調整し図１の姿勢を保持する。
【考案の詳細な説明】
【技術分野】
【０００１】  本考案は、入浴者の入浴時に受ける物理的影響特に静水圧による血圧上昇、下降の振幅を最小限に抑える為に入浴行為自体の姿勢を変える入浴補助浮きボードである。
【背景技術】
【０００２】  従来の入浴補助具は半身浴等の浴槽内のイス等が有りますが心臓への静水圧による負担防止には効果ありますが上半身は冷える欠点があります。入浴中、入浴後２時間内に循環器系の疾患の発生率が６割、死亡者数は交通事故死亡者数に匹敵する統計データーも発表されている。
又障害者等の入浴補助器具は現在椅子型、ストレッチャー型等販売されていますがどれもが高額であり一般の浴槽では使用不可能です。又健常者で健康不安のある方で一般家庭で利用する方、病院等の入院患者が利用しやすくする為単純構造で安価にする事が必要である。
【考案の開示】
【考案が解決しようとする課題】
【０００３】  解決しようとする問題点は、入浴時の入浴者の血圧の上昇、下降の振幅を最小限に抑え、入浴者の心臓を浴槽内の静水圧からの開放する必要がある。
【課題を解決するための手段】
【０００４】  本考案は、入浴時の理想の姿勢図１を可能にする為浮力材の位置の微調整、浮力の微調整が正確、敏速にセット出来る様に図２のボード背面にマジックテープを３本貼り付け、浮力材にもマジックテープを貼り付ける事と頭部枕部分背面に図２の背面図の拡大図（ａ）の様に永久磁石を取り付け浴槽のへり部分に埋め込んだ永久磁石に固定する。又表面が平滑な場合は両面吸盤を取り付ける事も可能である。
本考案は、一般家庭で使用するには浴槽部分の長さを浴槽メーカーが伸長する必要がある。
【考案の効果】
【０００５】  本考案の入浴補助浮きボードを使用すると、血圧の変化による成人病、特に循環器系統の発症の抑制効果が期待され又閉眼入浴等で入浴すれば身体、精神のリラックス効果、あたかも母体の羊水に浮いている感覚に成り脳波の中のα波の発生も期待出来る。
【考案を実施するための最良の形態】
【０００６】  本考案の入浴補助浮きボードは図１に示す様にロッキングチェアー状で入浴者の上半身特に心臓部分が水没しない姿勢にする正確な浮力の計算に基づいた浮力材の移動を容易にした入浴補助浮きボードとする。
【産業上の利用可能性】
【０００７】  ホテル、旅館に設置すれば血圧が高いお客さんも安心して入浴出来る事になります。【０００８】  リハビリ施設のマッサージ入浴等にボード本体をメッシュ状にすれば筋肉の緊張緩和と精神のリラックスの相乗効果が期待出来る。【０００９】  都会で営業している短時間の睡眠場所として睡眠カプセル等に浮力ボードを使用すると、その効果は倍増し短時間で熟睡に達しお客様の目的達成できる。
【図面の簡単な説明】
【００１０】
【図１】入浴時の基本姿勢を示した説明図である。
【図２】入浴補助浮きボードの正面図、背面図である。
【図３】入浴補助浮きボードの側断図、拡大詳細図である。
【図４】入浴補助浮きボード折りたたみ収納手順
【符号の説明】
【００１１】１  ボード本体
２  クッション材（浮力材も兼ねる）
３  枕部クッション材
４  回転ヒンジ（ボード本体回転ヒンジ）
５  浮力材
６  磁石（浴槽縁取り付け）
７  磁石（ボード本体取付け）
【図１】
0003135840.tif 000003
【図２】
0003135840.tif 000004
【図３】
0003135840.tif 000005
【図４】
0003135840.tif 000006
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
ボードは上半身部分、腰から膝までの部分と膝から足先までの３部分で構成された浮力材を兼ねたボード本体と本体表面のクッション素材の２層構造の折りたたみ椅子の脚無し形状の入浴用補助浮きボード。
【請求項２】
各部分のボードとボードの接合部は回転ヒンジにより接続された事を特徴とする請求項１記載の入浴補助浮きボード。
【請求項３】
入浴者の体形に合わせ、各部分の浮力材の浮力の大きさの変更、取替えが出来る事を特徴とする請求項１記載の入浴用補助浮きボード。
【請求項４】
浮力材はボード本体背面にボードと浮力材にマジックテープ（登録商標）を取り付け浮力材の大きさ変更と位置調整が容易に出来る事を特徴とする請求項１記載の入浴補助浮きボード。
【手続補正２】
【補正対象書類名】明細書
【補正対象項目名】全文
【補正方法】変更
【補正の内容】
【考案の詳細な説明】
【技術分野】
【０００１】  本考案は、入浴補助具に関するものであり、ボードの形状、各部分のボードの接続方法、浮力材等の取り付けに工夫を加える事によって高齢者、健康不安のある方が安心して入浴をする事を可能にしたものである。
【背景技術】
【０００２】  従来からの入浴補助具は一般的には半身浴等に使用する浴槽内床面に据え置く椅子型等が在り、入浴者の心臓への静水圧の負荷軽減防止効果はあります。反面上半身は冷える欠点があります。障害者、身体弱者、要介護者が使用する入浴補助具は現在椅子型、ストレッチャー型等多種・多様に考案市販され又入浴施設に設置使用されています。その多くが健常者で健康不安のある方、高齢者や一般人の方が使用するには既存の浴槽の改造・改修が必要で簡単に設置、使用がしずらい入浴補助具である。
【考案の開示】
【考案が解決しようとする課題】
【０００３】  解決しようとする課題は、健康不安（高血圧、循環器系疾患等）を抱える方も手軽に入浴補助浮きボードを使えるように簡単取付け、安全な構造にし、かつ入浴時の入浴者の血圧の上昇、下降の振幅を最小限に抑える為に入浴者の心臓部分を水の持つ静水圧の負荷から開放する様な入浴姿勢を保持する事と、入浴者の上半身が冷えるのを防ぐ課題がある。
【課題を解決するための手段】
【０００４】  この課題を解決するために請求項１の考案は、入浴時の理想の入浴姿勢実現を容易可能にする為３部分にボードを分割し体と接触する部分に浮力材を兼ねたクッション部材を貼り合わせた２層構造にし、又ボード利用者の体形別に本体ボードの各部分（長さ）の交換が出来る様にすることで解決出来る。【０００５】  請求項２は入浴時の理想の入浴姿勢実現を可能にする為、各ボードの接合部は任意の角度に固定出来る様に角度固定ストッパー付の接合部とし体形による入浴姿勢の変化の対応が出来る様にしたことで解決出来る。【０００６】  請求項３、請求項４は入浴者の体形に合わせボードに付ける浮力材の位置の調整、浮力の調整が出来る様にボード背面に入浴者のふくらはぎ部分と腰の部分にマジックテープ（登録商標）を３列貼り付け浮力材使いボード本体と浮力材をとりつける様にした。
【考案の効果】
【０００７】  本考案の入浴補助浮きボードの入浴姿勢を保持し使用すると、入浴者の心臓部分は水面上に在り水の静水圧の負荷を受けず、血圧の上昇、下降の振幅巾の減少による成人病、特に循環器系統の発症数（参考資料  東京消防庁調査や東京都監察医務院の統計では入浴中の死亡者数は全国で年間１４，１３４人［２００１年２月１６日朝日新聞夕刊］）の減少抑制効果が期待され、高齢者、健康に何か不安をお持ちの入浴者も安心して入浴でき、もし入浴中に突然意識を失う病気の発症が起きてもこの入浴姿勢は浴槽内に溺れる事故の確率が格段に減少する、又この考案のボードは体形別に作製される為入浴者の身体にあったボードを使用できる。設置に関しても浴槽の改造改修が軽微であり多くの方が使用できる。
【考案を実施するための最良の形態】
【０００６】  以下、考案を実施形態に係わる入浴補助浮きボードの構成、及び動作に関し、図１、図２、図３、図４を用いて説明する。
図１は本実施形態に係わる入浴補助浮きボード（以下、「ボード」という）の基本入浴姿勢を説明する入浴姿勢図である。
図２はボードの平面図、背面図である。
図３はボードの側断図である。
図４は［図３］ボードの側断図（Ａ）、（Ｂ）の拡大詳細図である。
なお、各図にわたって同一効果の部位には同一符号を付して説明の重複をさける。【０００７】  図１、図２、図３、図４に示すボードは折りたたみ椅子形状のボードにロッキングチェアーに座った姿勢で使用するボートと、ボードに付帯する６、７の付帯装置も含んで構成されている。この付帯装置はボードと浴槽縁の取付けを枕部分のボード背面に磁石盤７を取り付け、浴槽天端部に埋め込んだ磁石盤６に磁力で接着固定しボードの浴槽内への脱落移動を防ぐ事で安心し入浴出来る。【０００８】  請求項２の考案は各ボードの接続部分４は、図１を可能にする為に回転ヒンジを内臓している。この４は角度を固定するストッパー付であるため入浴者の体形の違いによる角度の調整にも簡単に対応可能である機能を備えている。【０００９】  請求項３、請求項４の考案は通常の半身浴の入浴者の入浴姿勢と比べ図１は水面からの露出部分が極めて少なく入浴者の上半身が冷えにくい入浴姿勢であり、入浴者の上半身部分、特に心臓部分が水没しない姿勢に保持微調整する為に８を図２の位置にボードと浮力材５にマジックテープ（登録商標）で取付ける事で浮力材の移動調整を容易にし浮力材も簡単に変更取替え出来る。【０００１０】  なお、本ボードはボートまたはボードに相当する基部の材料としてステンレス材、ポリ塩化ビニール材、発泡ウレタンと磁石盤を用いるほか、美観、加工性、耐久性、及びコスト性に優れた方法、材料があればそれを用いても構わない。
【図面の簡単な説明】
【０００１１】
【図１】入浴時の基本姿勢図である。
【図２】入浴補助浮きボードの平面図、背面図である。
【図３】入浴補助浮きボードの側断図である。
【図４】［図３］入浴補助浮きボードの側断図（Ａ）、（Ｂ）の拡大詳細図である。
【符号の説明】
【０００１２】    １  ボード本体
２  クッション材（浮力材も兼ねる）
３  枕部クッション材
４  回転ヒンジ（ボード本体回転ヒンジ）
５  浮力材
６  磁石盤（浴槽縁取り付け）
７  磁石盤（ボード本体取付け）
８  マジックテープ（登録商標）
【手続補正３】
【補正対象書類名】図面
【補正対象項目名】全図
【補正方法】変更
【補正の内容】
【図１】
0003135840.tif 000007
【図２】
0003135840.tif 000008
【図３】
0003135840.tif 000009
【図４】
0003135840.tif 000010